(57)【要約】【課題】ブラジャーの上端縁から母乳パッドの一部が露出せず、良好な外観と装着感を有し、かつ母乳パッドの吸収有効率を向上させること。【解決手段】母乳パッドの上端縁が母乳パッドの横方向へ直線状に延びており、母乳パッド全体がブラジャーのカップ部の内部に収まっている。【選択図】図１
2008174851.tif 000002
【特許請求の範囲】
【請求項１】
縦方向と横方向とを有し、肌当接側に位置する透液性の内面シートと、非肌当接側に位置する不透液性の外面シートと、これら内外面シートの間に吸液性コアが介在し、前記横方向における両側縁が凸に湾曲する母乳パッドにおいて、
前記縦方向における前記母乳パッドの上下端縁のうちの少なくとも上端縁が前記横方向に直線状に延びていることを特徴とする前記母乳パッド。
【請求項２】
前記縦方向へ延びる弾性部材が、前記内面シート側の前記吸液性コアの両側部において伸長下に取り付けられており、前記弾性部材の弾性収縮力によって、前記母乳パッドが全体的に非肌当接側へ向かって凸となるように湾曲している請求項１に記載の母乳パッド。
【請求項３】
前記母乳パッドが、前記横方向における前記吸液性コアの両側縁の外側に位置して前記縦方向へ延びるサイドフラップと、前記縦方向における前記吸液性コアの両端縁の外側に位置して前記横方向へ延びるエンドフラップとを有し、前記サイドフラップと直線状を有する端縁側の前記エンドフラップとの交差部位が、前記弾性部材の前記縦方向への仮想延長線近傍上に位置している請求項２に記載の母乳パッド。
【請求項４】
前記吸液性コアの前記両端縁のうちの少なくとも上端縁が、前記エンドフラップの形状に沿って、前記横方向に直線状に延びている請求項３に記載の母乳パッド。
【請求項５】
前記母乳パッドが、前記吸液性コアと前記内面シートの間に位置するリウエットコントロールシートを有し、前記弾性部材が前記リウエットコントロールシートの両側縁を前記母乳パッドの前記横方向内方へ折り返してなるスリーブの内部に取り付けられている請求項２ないし４のいずれかに記載の母乳パッド。
【請求項６】
一対の前記母乳パッドを形成するための構成部材を全て積層してなる略瓢箪形の積層体を形成する工程と、前記積層体のくびれ部分を前記積層体の幅方向に延びるカットラインに沿って切断することによって、一対の母乳パッドを製造することのできる切断工程とを含む前記請求項１ないし５のいずれかに記載の母乳パッドの製造方法。
【請求項７】
前記積層体の形成工程と、前記積層体のくびれ部分をカットラインに沿って切断せず、前記カットラインにミシン目を施す工程とを含む前記請求項１ないし５のいずれかに記載の母乳パッドの製造方法。
【発明の詳細な説明】
【技術分野】
【０００１】
この発明は、乳房とブラジャーとの間に介在させて使用する母乳パッドおよびその製造方法に関する。
【背景技術】
【０００２】
従来、乳房とブラジャーのカップ部との間に介在させ、乳房から分泌された母乳を吸収させる、上端部が円弧状に隆起した母乳パッドは周知である。
【非特許文献１】一般に市販されている母乳パッドの概要を図示したもの（図５参照）。
【発明の開示】
【発明が解決しようとする課題】
【０００３】
しかし、図５に示されているように、従来使用されている母乳パッド１１０はその上端部が弧状に隆起しているため、図示のブラジャー１２０の場合、そのカップ部１２１の上端縁１２１ａから母乳パッド１１０の上端部が外部へ露出して、外観を損なうばかりでなく、衣服の着脱時において、露出した上端部（以下、露出部位Ａという）が衣服の内面に引っ掛かってブラジャー１２０の外面に向かって折れ曲がったり、衣服とともに上方へ持ち上がる等して母乳パッド１１０が位置ずれを起こし、母乳の漏れの原因ともなっていた。また、母乳パッド１１０の一部が外部に露出している場合には、カップ部１２１の上端縁１２１ａに取り付けられたワイヤー等の固定部材によって母乳パッド１１０内部の吸液性コア１１３が締め付けられるので、吸液性コア１１３が型崩れを起こし、吸収された母乳の滲出や母乳パッド１１０の型崩れの原因ともなっていた。
【０００４】
このような不測の事態を防止するために、母乳パッド全体を覆い隠すほどの比較的に大きなカップ部を有するブラジャーや左右のカップ部が一連となった横長形状の授乳用のマタニティブラジャーを使用することも考えられが、カップ部の大きなブラジャーを使用した場合には、乳房の大きさとカップ部の大きさとが不整合となり、乳房とカップ部との間にすき間が生じ、母乳の横漏れや母乳パッドの位置ずれを生じるおそれがある。
【０００５】
また、一般に、母乳パッドにおいては、母乳の吸収は、母乳パッドの上部域よりも下部域によりなされ、その上部域が母乳の吸収に充分に利用されないことが少なくなく、その意味では、母乳パッドの吸収全面積に対する吸収有効率に問題があった。
【０００６】
そこで、本発明は、このような課題を解決するために、授乳用のマタニティブラジャーではなく、乳房の大きさに合うカップ部を有する通常のブラジャーを使用した場合であっても、ブラジャーの上端縁から母乳パッドの一部が露出せず、良好な外観と装着感とを有し、しかも吸収有効率の高い母乳パッドおよびその製造方法を提供することを目的としている。
【課題を解決するための手段】
【０００７】
この発明においては、縦方向と横方向とを有し、肌当接側に位置する透液性の内面シートと、肌非当接側に位置する不透液性の外面シートと、これら内外面シートの間に吸液性コアが介在し、前記横方向における両側縁が凸に湾曲する母乳パッドが前提である。
【０００８】
かかる前提において、前記縦方向における前記母乳パッドの上下端縁のうちの少なくとも上端縁が前記横方向に直線状に延びていることがこの発明の特徴である。
【０００９】
この発明は、前記の特徴ある構成のほかに、以下の好ましい実施の態様を含む。
（１）前記縦方向へ延びる弾性部材が、前記内面シート側の前記吸液性コアの両側部において伸長下に取り付けられており、前記弾性部材の弾性収縮力によって、前記母乳パッドが全体的に非肌当接側へ向かって凸となるように湾曲している。
（２）前記母乳パッドが、前記横方向における前記吸液性コアの両側縁の外側に位置して前記縦方向へ延びるサイドフラップと、前記縦方向における前記吸液性コアの両端縁の外側に位置して前記横方向へ延びるエンドフラップとを有し、前記サイドフラップと直線状を有する端縁側の前記エンドフラップとの交差部位が、前記弾性部材の前記縦方向への仮想延長線近傍上に位置している。
（３）前記吸液性コアの前記両端縁のうちの少なくとも上端縁が、前記エンドフラップの形状に沿って、前記横方向に直線状に延びている。
（４）前記母乳パッドが、前記吸液性コアと前記内面シートの間に位置するリウエットコントロールシートを有し、前記弾性部材が前記リウエットコントロールシートの両側縁を前記母乳パッドの前記横方向内方へ折り返してなるスリーブの内部に取り付けられている。
（５）一対の前記母乳パッドを形成するための構成部材を全て積層してなる略瓢箪形の積層体を形成する工程と、前記積層体のくびれ部分を前記積層体の幅方向に延びるカットラインに沿って切断することによって、一対の母乳パッドを製造することのできる切断工程とを含む母乳パッドの製造方法。
（６）前記積層体の形成工程と、前記積層体のくびれ部分をカットラインに沿って切断せず、前記カットラインにミシン目を施す工程とを含む母乳パッドの製造方法。
【発明の効果】
【００１０】
この発明に係る母乳パッドによれば、ブラジャーの上端縁から母乳パッドの一部が露出しないので、良好な装着外観と装着感とを有し、しかも吸収有効率の高い母乳パッドを得ることができる。
【００１１】
また、前記（１）の実施態様の場合には、弾性部材の収縮力によって、母乳パッド全体が非肌当接側へ向かって凸となるように湾曲しているので、母乳パッドが乳房の形状に適した立体的なドーム形状を有し、母乳パッドの乳房へのフィット性が向上する。
【００１２】
前記（２）の実施態様の場合には、サイドフラップと直線状を有する端縁側のエンドフラップとの交差部位が、弾性部材の縦方向への仮想延長線近傍上に位置しているので、比較的に可撓性の高い交差部位に弾性部材の弾性応力がおよぶことにより、交差部位に肌当接側へ向かう力が働き、交差部位が外側に折れ曲がることを防ぐことができる。
【００１３】
前記（３）の実施態様の場合には、吸液性コアの両端縁のうち少なくとも上端縁が横方向へ直線状に延びているので、母乳の吸収に与しない、いわば無駄な部位を省くことによって、吸液性コアの吸収全面積に対する吸収有効効率を向上させることができる。
【００１４】
前記（４）の実施態様の場合には、内面シートと吸液性コアとの間にリウエットコントロールシートが介在していることによって、吸液性コアに吸収された母乳が内面シート側にリウエットするのを未然に防止することができるとともに、着用者にソフトな肌触りを与えることができ、また、弾性部材がリウエットコントロールシートの両側部を折り返してなるスリーブの内部に取り付けられているので、弾性部材が位置ずれを起こすことはなく、かつ、肌に対する弾性応力による圧迫感を軽減することができる。
【００１５】
前記（５）の実施態様の場合には、１つの積層体を形成、切断することによって、一対の母乳パッドを容易に製造することができるので、生産性の向上を図ることができる。
【００１６】
前記（６）の実施態様の場合には、積層体の状態のまま包装袋に包装して、装着者が自ら使用時に積層体をミシン目に沿って切り離すことによって、一対の母乳パッドを得ることができるので、２つの母乳パッドを別々に包装する場合や１つの包装袋に２つの母乳パッドを包装する場合に比べて、包装工程が簡便となり、さらなる生産性の向上を図ることができる。
【発明を実施するための最良の形態】
【００１７】
添付図面を参照して、この発明に係る母乳パッドの実施の形態を説明すると、以下のとおりである。
【００１８】
図１は、母乳パッド１０を肌当接面である内面側から見た部分破断斜視図であり、図２は、図１のＩＩ−ＩＩ線に沿う横断面図である。
【００１９】
図１および図２に示すとおり、母乳パッド１０は、縦中心軸Ｐに関して面対称であって、着用状態における縦方向Ｙと横方向Ｘとを有し、肌当接側に位置する透液性の内面シート１１と、非肌当接側に位置する不透液性の外面シート１２と、それら内外面シート１１，１２との間に介在する吸液性コア１３と、内面シート１１と吸液性コア１３との間に位置するリウエットコントロールシート１４とから主に構成されている。
【００２０】
母乳パッド１０は、吸液性コア１３の両側縁１３ｂから横方向外側へ延出して縦方向へ延びるサイドフラップ１５と、吸液性コア１３の両端縁１３ａから縦方向外側へ延出して横方向へ延びるエンドフラップ１６とを有する。サイドフラップ１５とエンドフラップ１６とは、それぞれ内外面シート１１，１２の延出縁部１１ｂ，１２ｂ、内外面シート１１，１２の延出端部１１ａ，１２ａとリウェットコントロールシート１４ａの延出端部とから形成されており、それら重なり合うシートどうしは互いにホットメルト接着剤や熱エンボス加工等の熱融着手段によって接合されている。
【００２１】
吸液性コア１３と内面シート１１との間には、母乳パッド１０の縦方向Ｙに延びる一対の弾性部材１７がリウエットコントロールシート１４に包まれた状態で、吸液性コア１３の両側部に位置している。具体的にいえば、一対の弾性部材１７はリウエットコントロールシート１４の両側部を内側へ折り返してなるスリーブ１８の内部において、互いに横方向Ｘへ所与寸法離間して伸長下に取り付けられている。このように内面シート１１と吸液性コア１３との間にリウエットコントロールシート１４が介在していることによって、装着者にソフトな肌触りを与えるとともに、吸液性コア１３に吸収された母乳が内面シート１１の側へリウエットするのを未然に防止することができ、また、弾性部材１７がリウエットコントロールシート１４に包被されていることによって、弾性部材１７が位置ずれを生じるおそれはない。
【００２２】
図１に示されているとおり、かかる弾性部材１７の収縮力によって、母乳パッド１０の中で最も高い剛性を有する吸液性コア１３は全体的に非肌当接側へ凸となるように湾曲され、母乳パッド１０は乳房の形に適した立体的なドーム形状をとることができる。弾性部材１７は、このように母乳パッド１０を湾曲させることのできる弾性収縮力を有するために、２本以上の複数本が吸液性コア１３の両側部に配置されていてもよいし、また、リウエットコントロールシート１４を折り返さずその両側縁にそのまま固定してもよいし、吸液性コア１３に直接固定されていてもよい。弾性部材１７が２本ではなくそれ以上の複数本配置されている場合には、各々の弾性部材１７に比較的に大きな弾性応力を要しないので、肌に圧迫マークや不快感を与えるおそれはない。
【００２３】
さらに、弾性部材１７が延びている内面シート１１の両側部周辺には、弾性部材１７の収縮によって大小不規則的な皺が形成されているが、この皺は、母乳パッド１０の身体へのフィット性を向上させ、母乳パッド１０の位置ずれや母乳漏れを防止するうえでは、この皺が可及的に小さく形成されるように弾性部材１７の収縮力、吸液性コア１３の母乳パッド１０の構成部材の剛性や、これら部材と弾性部材１７との相対的位置関係を適宜設定することが好ましい。
【００２４】
外面シート１２の外面の幅方向中央域には、母乳パッド１０をブラジャーや衣服に止着するための感圧性接着剤からなる止着手段２２が母乳パッド１０の縦方向Ｙへ複数条並行に延びている。止着手段２２はシリコン等を塗布した剥離紙（セパレータ）２３によって被着保護されている。
【００２５】
図３は、母乳パッド１０の使用状態を示す説明図であり、図５は、従来の母乳パッド１１０の使用状態を示す説明図である。
【００２６】
再び、図１において、図５に図示されている従来の母乳パッドとの関係では、これとは異なり、母乳パッド１０の上端縁１０ａは縦中心線Ｐに直交して母乳パッド１０の横方向Ｘへ直線状に延び、母乳パッド１０全体は上端部を切り欠かれたほぼ半円弧状を有している。吸液性コア１３の上端縁１３ａもまた母乳パッド１０の上端縁と並行に横方向へ直線状に延びている。このような形状に母乳パッド１０の上端部１０ａは形成されているので、従来の円形のパッド１１０であれば、図５の斜線で示された部分のように、ブラジャー１２０のカップ部１２１の上端縁１２１ａから外部に露出する部位（露出部位Ａ）が存在するところ、母乳パッド１０にはそのような露出部位Ａは存在せず、装着外観を損なうおそれはない。また、従来、このような露出部位Ａは、衣服の着脱時に衣服の内面に引っ掛かってしまったり、就寝時や横たわった状態で乳児に母乳を与える際等にブラジャー１２０の外面に向かって折れ曲がってめくれ下がるおそれがあり、母乳パッド１１０の位置ずれを生じる原因となっている。さらに、カップ部１２１の上端縁１２１ａに取り付けられたワイヤー等の固定部材が吸液性コア１１３の上を横切って吸液性コア１１３を圧迫するので、吸液性コア１１３に吸収された母乳が外部に滲出する原因ともなっている。このような不測の事態を避けるために、乳房の大きさよりもひと回り大きいカップ部を有するブラジャーを使用することも考えられるが、その場合には、乳房とカップ部との間にすき間が生じ、かえって母乳漏れやパッドの位置ずれを生じるおそれがある。
【００２７】
一方、母乳パッド１０では、図３に図示されているとおり、上端縁１０ａがカップ部２１の上端縁２１ａに沿ってカップ部２１内部に延びているので、母乳パッド１０の一部がカップ部２１からはみ出て外部へ露出することはない。母乳パッド１０はこのような特殊形状を有することによって、カップ部２１の内部にある部位は乳房の形状に適した円形を有しつつ、上端部が外部に露出することはないので、外観及び装着感に優れ、露出部位Ａがめくれ下がることによる母乳漏れや母乳パッド１０の位置ずれを生じるおそれがない。また、母乳パッド１０は、吸収機能にほとんど与らない吸液性コア１３の一部をカットすることによって、母乳パッド１０の吸収全面積に対する吸収有効率をも向上させるものである。
【００２８】
すなわち、例えば、従来の円形型の母乳パッド１１０の場合には、毛管作用によって乳首から排泄された母乳が吸液性コア１１３の中心部からその周辺に拡がり吸収されるとしても、乳首の下方および両側に位置する部位には吸収されるが、ブラジャーのワイヤー等の固定部材が吸液性コア１１３の上端部を横切り圧迫していたので、それが障害となり、カップ部１２１の外方に位置する露出部位Ａに位置する吸液性コア１１３の部分にまで母乳が拡散され吸収されることはほとんどない。母乳パッド１０では、このような吸収機能にほとんど与らない、いわば無駄な部位をカットすることで、前記吸収有効率の向上を図るものである。
【００２９】
母乳パッド１０の上端縁１０ａは横方向Ｘにほぼ直線状に延びていることから、曲線状の両側縁１０ｂと直線状の上端縁１０ａとが交差する交差部位２４は尖った形状を有している。このように交差部位が尖形状を有している場合には、母乳パッド１０をブラジャー２０のカップ部２１の内部に装着する際に、いきおいこの尖形の交差部位２４がカップ部２１の内面に引っ掛かり、カップ部２１の外面に折れ曲がって母乳漏れや母乳パッド１０の位置ずれを生じるおそれがある。
【００３０】
しかし、母乳パッド１０の両側部では、弾性部材１７が内面シート１１側において縦方向Ｙに伸長した状態で延びているとともに、弾性部材１７の仮想延長線近傍上に交差部位２４が位置していることから、その伸長応力が上方に位置する交差部位２４におよび、その結果、交差部位２４に肌当接側へ向かう力が働き、交差部位２４が外方へ折れ曲がることはなく、肌に密着させることができる。このように比較的に可撓性の高い交差部位２４を確実に肌に密着させるために、弾性部材１７を吸液性コア１３の両側部１３ｂまでではなく、吸液性コアの端縁１３ａからさらに縦方向外方へまで、すなわち、交差部位２４の近傍にまで延びる長さを有する弾性部材１７を使用してもよい。
【００３１】
なお、図示されていないが、場合により、母乳パッド１０の下端縁１０ｃも上端縁１０ａと同様に直線状に形成されていてもよい。その場合には、その直線状の下端縁１０ｃの長さは上端縁１０ａよりも横方向への長さが短いことが好ましい。
【００３２】
図４は、母乳パッド１０の製造工程の一例で製造されるその積層体２５の平面図である。積層体２５は、母乳パッド１０を構成する全ての部材を積層したものであって、略瓢箪形状を有している。積層体２５は、内面シート１１と外面シート１２との間に一対の所望の形状に賦型した吸液性コア１３と積層体２５の長さ方向に延びた弾性部材１７を包むリウエットコントロールシート１４とを介在させ、吸液性コア１３の外周縁部をホットメルト接着剤又は各種の熱溶着手段によって固着することによって形成されている。この積層体２５を形成する工程の後、積層体２５のくびれ部分を積層体２５の幅方向に延びるカットラインＬで切断することによって、直線状の上端縁１０ａが形成されて、一対の母乳パッド１０を製造することができる。このように一つの積層体２５から一対の母乳パッド１０が製造できるので、母乳パッド１０を個々に形成して製造する場合に比べて生産性がよい。
【００３３】
また、積層体２５の形成工程の後、カットラインＬに沿って積層体２５を切断せず、代わりにカットラインＬに沿ってミシン目を施してもよい。この場合には、積層体２５の状態のまま包装袋に収容し、装着者自らが使用時に積層体２５をミシン目に沿って切り離し、一対の母乳パッド１０を得ることができるので、包装袋に２つの母乳パッド１０を収納する場合や各包装袋に母乳パッド１０を１つづつ収納する場合に比べて、包装工程が簡便となり、さらなる生産性の向上を図ることができる。
【００３４】
内面シート１１には、好ましくは目付１０〜３０ｇ／ｍ２のエアスルー、サーマルボンド、スパンレース、メルトブローン法等の公知の各種製法からなる不織布を使用することができる。それらの素材には、主にポリエチレンやポリプロピレン等のポリオレフィン系の繊維やその他の熱可塑性繊維、レーヨン、コットンなどの再生、天然繊維を使用することができる。
【００３５】
外面シート１２には、好ましくは目付１０〜３０ｇ／ｍ２のポリエチレンやポリプロピレン等のポリオレフィン系の不透液性のプラスチックフィルム、それらフィルムに通気、透湿性の微細開孔を施したもの、その他公知の各種の織布、不織布、不透液性のプラスチックフィルムと疎水性の不織布とのラミネートシート等を使用することができる。
【００３６】
吸液性コア１３には、粉砕パルプ、粉砕パルプと高吸収性ポリマー（ＳＡＰ）の混合物を使用することができる。また、吸液性コア１３は、肌当接側から順に粉砕パルプ層、ＳＡＰ層、粉砕パルプとＳＡＰの混合層からなる３層から構成されていてもよい。この場合にはパルプ層が肌側に位置しているので吸収した母乳の拡散性を向上させることができる。さらに、吸液性コア１３は、型崩れ及びＳＡＰの脱落防止のために、ティッシュペーパ（図示せず）で全体が包被されていることが好ましい。
【００３７】
リウエットコントロールシート１４には、内面シート１１と同様の各種製法からなる透液性の不織布を用いることができ、好ましくは、ポリプロピレンからなる目付１０〜２０ｇ／ｍ２の４層繊維のＳＭＭＳ不織布（スパンボンド・メルトブローン・メルトブローン・スパンボンドの各繊維層）を使用する。かかる積層からなるＳＭＭＳ不織布は、４層繊維の積層体であって、クッション性を有するとともに、その中間にＭＭ層が位置しているので、母乳のリウエット防止効果に優れている。
【００３８】
弾性部材１７には、ポリウレタン弾性樹脂等からなる合成ゴム、天然ゴム等を用いることができ、その伸長倍率が１．２〜１．８倍であるものが好ましい。
各種シートどうしの接合、弾性部材の取り付け等には、ホットメルト接着剤やその他のヒートシール等の熱溶着手段を用いることができる。
【００３９】
母乳パッド１０の各種材料には、上記に列挙したものの他に、当該技術分野において通常使用される公知の不織布やプラスチックフィルム、弾性部材等を用いることができる。
【産業上の利用可能性】
【００４０】
本発明の母乳パッドは、公知の母乳パッドはもとより、公知の生理用ナプキンや使い捨ておむつなどの物品に利用される材料と構成部材、およびその物品とほぼ同様の構成並びに製法を採って、容易に量産することが可能である。
【図面の簡単な説明】
【００４１】
【図１】母乳パッドを肌当接面である内面側から見た部分破断斜視図。
【図２】図１のＩＩ−ＩＩ線に沿う横断面図。
【図３】母乳パッドの使用状態を示す説明図。
【図４】母乳パッドの製造工程の一例において製造される積層体の平面図。
【図５】従来の母乳パッドの使用状態を示す説明図。
【符号の説明】
【００４２】
１０  母乳パッド
１０ａ  母乳パッドの上端縁
１０ｂ  母乳パッドの下端縁
１１  内面シート
１２  外面シート
１３  吸液性コア
１４  リウエットコントロールシート
１５  サイドフラップ
１６  エンドフラップ
１７  弾性部材
１８  スリーブ
２４  交差部位
２５  積層体
【図１】
2008174851.tif 000003
【図２】
2008174851.tif 000004
【図３】
2008174851.tif 000005
【図４】
2008174851.tif 000006
【図５】
2008174851.tif 000007